(57)【要約】  【目的】ネジ貫通部に通したネジを仮保持でき，ネジ止めする際においてネジが脱落して紛失することがない，ネジ締め作業時の手間を軽減できる被螺子止部材を提供すること。  【構成】螺子貫通部に，遊貫状態に螺子を保持するよう一部塑性変形部を設けたことを特徴として螺子貫通部を有する被螺子止部材を提供した。また，前記塑性変形部は，螺子貫通部周縁部に設けられ，螺子貫通部内側方向に突設するとともに，螺子貫通部における部材の厚み方向の一部が突出して設けられたことを特徴として螺子貫通部を有する被螺子止部材を提供した。  【選択図】図１
2005273836.tif 000002
【特許請求の範囲】
【請求項１】
遊貫状態に螺子を保持するよう，螺子貫通部に一部塑性変形部を設けたことを特徴とする螺子貫通部を有する被螺子止部材。
【請求項２】
前記塑性変形部は，螺子貫通部周縁部に設けられ，螺子貫通部内側方向に突設するとともに，螺子貫通部における部材の厚み方向の一部が突出して設けられたことを特徴とする請求項１記載の被螺子止部材。
【発明の詳細な説明】
【技術分野】
【０００１】
本発明は，分電盤に使用する母線と分岐開閉器との間を接続する分岐線に関するものである。
【背景技術】
【０００２】
従来の被螺子止部材には，図７に示されたようなものがあった。これは，図中のバー本体６の一端にネジ接続部６ｅを設けたもので，該ネジ接続部６ｅは，ネジ山と干渉しないようにネジが通るように二股形状になっている。
【０００３】
このバー本体６は，分電盤に用いられるブレーカ４の他方の端子４ｂに接続される分岐バーのバー本体である。この発明の分岐バーは、図４に示すようにバー本体６の一端をブレーカ４の端子４ｂとの接続端部６ａとし、バー本体６の他端寄りの位置に高さ方向の傾斜部６ｂを介してＮ相母線バー２とのネジ接続部６ｃを設けたものである。更にこのネジ接続部６ｃの先端に、バー本体６を反転状態としたときＬ2 相母線バー３或いはＬ1 相母線バー１に接続されるネジ接続部６ｅを設けてある。このネジ接続部６ｃとネジ接続部６ｅとの間にも、高さ方向の傾斜部６ｄが設けられている。
【０００４】
この分岐バー本体６を用いて，電圧切替を行う場合，例えば，図８においてＬ２相に固定されている分岐バー６をＮ相に固定し直す場合（即ち２００Ｖ仕様から１００Ｖ仕様へ変更する場合），まず，ブレーカ４の端子ネジを緩めるとともに，母線に固定されたネジ接続部６ｅのネジを緩めて外し，次に，バー本体６を一旦取外して上下反転させる。そして，Ｎ相母線の所定のネジ穴位置にネジ接続部６ｃを合わせ配置し，指などで保持した後にＮ相母線に６ｃの位置でネジ止めし，ブレーカの端子ネジを締めて固定するよう操作する。尚，分電盤は通常壁面に取り付けられているために，作業は壁に向かって行う。
【０００５】
このように，ネジ接続部においてはネジ山には干渉しないようにネジを通すネジ接続部が設けられて，分岐バー即ち被螺子止部材が構成されていた。
【特許文献１】特開平１０−１５０７０６（第０００７項，第０００９項，第４図）
【発明の開示】
【発明が解決しようとする課題】
【０００６】
しかしながら，この従来の被螺子止部材にあっては，ネジ接続部において，ネジ山には干渉しないよう，ネジ山を逃げるようにネジ接続部が設けられていたために，電圧切替え作業の際において，一旦取外したネジを持っておく必要が生じ，また，分岐バーを当初の状態から上下反転させて取り付ける場合，再度ネジをあてがう際にネジを保持できないために，ネジが脱落しやすく，落として紛失しやすいという課題があった。
【０００７】
分岐ブレーカは通常複数設けられているために，分岐バーは壁面に向かって上下方向に密集しており，狭い作業スペースで片手で分岐バーを保持し，もう片手でネジをあてがいながらドライバーで締め付け作業を行うこと自体が行いづらく，作業を困難にしていた。本発明は，ネジ貫通部に通したネジを仮保持でき，ネジ止めする際においてネジが脱落して紛失することがない，ネジ締め作業時の手間を軽減できる被螺子止部材を提供することを目的としている。以降，ネジを螺子と記載する。
【課題を解決するための手段】
【０００８】
上記の課題を解決するため，本件発明の請求項１では螺子貫通部に，遊貫状態に螺子を保持するよう一部塑性変形部を設けたことを特徴として螺子貫通部を有する被螺子止部材を提供したものである。
【０００９】
請求項２では，前記一部塑性変形部は，螺子貫通部周縁部に設けられ，螺子貫通部内側方向に突設するとともに，螺子貫通部における部材の厚み方向の一部が突出して設けられたことを特徴として請求項１記載の被螺子止部材を提供したものである。
【発明の効果】
【００１０】
本件発明の第一の課題解決手段によれば，被螺子止部材において，その螺子貫通部に，遊貫状態に螺子を保持するよう一部塑性変形部を設けたことを特徴として螺子貫通部を有する被螺子止部材を提供したものであるから，
該一部塑性変形部により螺子を螺子貫通部に仮保持でき，被螺子止部材のネジ止めを行う際に，螺子が被螺子止部材から脱落して紛失することがなくなり作業性の向上が行えるものである。
【００１１】
第二の課題解決手段によれば，被螺子止部材における一部塑性変形部を，螺子貫通部周縁部に設け，螺子貫通部内側方向に突設させるとともに，螺子貫通部における部材の厚み方向の一部を突出させて設けたことを特徴として請求項１記載の被螺子止部材を提供したものであるから，
第一の課題解決手段の効果に加えて，螺子貫通部内側方向に突設した塑性変形部の一部が螺子山とかみ合うことにより螺子山が潰れるおそれなく螺子を仮保持できるという効果がある。
【実施例】
【００１２】
次に，本発明の好ましい実施の形態を図を参照して説明する。
【００１３】
図１は本発明の第一の実施の形態を示したものである。１は一端部に螺子貫通部１０１を設けた被螺子止部材である。螺子貫通部１０１の周縁部には該周縁部を塑性変形させて形成された塑性変形部１０２が４箇所設けられている。この塑性変形部１０２はコイニング加工（圧印加工）やステーキング加工（つぶし加工）で形成されており，周縁部を凸状部材で押圧することにより，螺子貫通部１０１の内側方向に突設するように設けられている。
【００１４】
図２は，被螺子止部材１のＡＡ断面図を示したものである。前述した螺子貫通部１０１の周縁部，即ち螺子貫通部１０１の若干外側を，凸状部材で押圧することにより，螺子貫通部１０１をその内側方向に突設するように，一部塑性変形させている。また，図中に示したように，被螺子止部材１の厚み方向においても，螺子貫通部１０１の一部のみをその内側に突設させるように形成している。図中１０２ａで示した突端部分は螺子山噛み合い部であり，この部分で螺子山と噛み合い，螺子を仮保持する。
【００１５】
４箇所設けられている螺子山噛み合い部１０２ａは，その最も内側に突設した部分を螺子貫通部１０１との同心円上の点として見た場合に，その同心円の直径が，貫通させる螺子の寸法（直径）とほぼ同一か若干小さくなるように突出するよう構成されている。尚，若干小さめになるように構成したほうが保持の度合いは強くなる。
【００１６】
図３には，螺子３を被螺子止部材１に仮保持させた図を示している。尚，被螺子止部材は図２と同様，ＡＡ断面を示している。
【００１７】
被螺子止部材１の螺子貫通部１０１に螺子３を通す場合，図中に示した螺子山噛み合い部１０２ａ間の距離Ｌが，螺子の寸法（直径）とほぼ同一寸法のために，螺子３の螺子山と螺子山噛み合い部１０２ａとが当接し合い，故に螺子３が保持される。
【００１８】
尚，塑性変形部１０２を，被螺子止部材１の厚み方向においてその一部のみを突設させているため，螺子を通した場合には，螺子は若干の自由度を持って遊貫状態に保持され，螺子を通す際に固く嵌まり込んでしまうことがなく，また，螺子山がつぶれてしまうことはない。
【００１９】
このように構成された被螺子止部材１を分電盤の電圧切替えバー，即ち分岐線として用いる場合，電圧切替え時の作業が非常に簡便になる。図４，図５に，螺子止部材として分電盤の母線を用い，電圧切替え時の使用状態を示した。
【００２０】
図４において，２は螺子止部材であり，この場合母線を表している。被螺子止部材１は螺子３により螺子止部材２に螺子止め装着される。
【００２１】
図５において，４は分電盤に設けられた分岐ブレーカである。分岐開閉器４は母線から分岐線を介して電力を供給される。４０１，４０２は分岐開閉器の端子部である。２０１〜２０３は各母線であり，２０１はＬ１相，２０２はＬ２相，２０３はＮ相を示している。１１０，１２０，１３０は，各母線と分岐開閉器を接続する分岐線であり，１１０はＬ１相母線と分岐開閉器とを接続する第一の分岐線，１２０はＬ２相母線と分岐開閉器とを接続する第二の分岐線，１３０はＮ相母線と分岐開閉器とを接続する第三の分岐線である。
【００２２】
まず，分岐開閉器４が，Ｎ相母線２０３と第三の分岐線１３０を介して端子部４０１に接続され，Ｌ２相母線２０２と第二の分岐線１２０を介して端子部４０２に接続されている場合，即ち１００Ｖ使用時であるとする。
【００２３】
この状態から電圧切替えを行う場合には，分岐開閉器４の端子部４０１に接続されている第三の分岐線１３０を一旦取外し，Ｌ１相母線２０１に接続される第一の分岐線１１０を端子部４０１に接続しなおす必要がある。この場合，第一の分岐線１１０を所定の位置に配設，螺子止め固定する際において，予め螺子３を，第一の分岐線１１０即ち被螺子止部材１の螺子貫通部１０１に通して仮保持させておき，まず片方の手で第一の分岐線１１０を所定の位置に配設し，もう片方の手でドライバなどを用いて螺子を締め，固定する。通常分電盤は壁面などに設けられているため，電圧切替え作業は壁面に向かって行うこととなるが，螺子３が分岐線（被螺子止部材）に仮保持されているために，分岐線と螺子の両方を手で保持しながらドライバなどで螺子締め作業を行う場合と比べて，簡易かつ確実に分岐線の配設，螺子止め作業を行うことができるものである。このように本発明の被螺子止部材によれば，螺子山をつぶすことなく螺子の脱落や紛失を防止することができ，また作業性を大きく向上させることができるものである。
【００２４】
図６は本発明の第二の実施形態を示したものである。５は被螺子止部材であり，その一端に設けられた螺子貫通部５０１が，二股に分かれたものを示している。塑性変形部は図中５ｂ，５ｃで示されたように２箇所設けられている。
【００２５】
この塑性変形部５ｂ，５ｃは，第一の実施形態と同様，コイニング加工（圧印加工）やステーキング加工（つぶし加工）で形成されており，螺子貫通部５０１の周縁部を凸状部材で押圧することにより，螺子貫通部５０１の内側方向に突設するように設けられている。塑性変形部の断面形状は第一の実施形態と同様であるので説明は省略する。
【００２６】
螺子貫通部５０１に通された螺子は，２箇所に設けられた塑性変形部５ｂ，５ｃと，図中に５ａで示した当接部にて保持される。５ａ，５ｂ，５ｃで囲まれて形成される保持空間は，貫通される螺子の寸法（直径）とほぼ同一寸法か若干小さめになるように形成されるよう塑性変形部が設けられている。
【００２７】
分電盤に用いる分岐線の一端をこのように二股に形成した場合には，螺子貫通部が丸穴で構成されている場合と比べて，その形状故，二股の開放端に向かって螺子がすべり脱落しやすいが，塑性変形部を設けているために螺子が適切に保持される。このように，第一の実施形態と同じく，電圧切替え時の分岐線の接続作業において，螺子の脱落や紛失を防止することができ，また，電圧切替え時の作業性を大きく向上させることができるものである。
【産業上の利用可能性】
【００２８】
被螺子止部材において，その螺子貫通部に，遊貫状態に螺子を保持するよう一部塑性変形部を設けているため，螺子のみならず，リベットなどを仮保持して所定の位置に固定を行う場合にも利用が可能である。また，分電盤に用いる分岐線について示しているが，螺子などを用いて固定する被螺子止部材，例えば，支持金具や保持金具，その他金属に限らず樹脂で形成された被螺子止部材への利用も可能である。
【図面の簡単な説明】
【００２９】
【図１】本発明の被螺子止部材を示す第一の実施例である。
【図２】被螺子止部材の断面図である。
【図３】螺子を保持した図である。
【図４】被螺子止部材の使用状態を示した図である。
【図５】被螺子止部材の使用状態を示した図である。
【図６】本発明の被螺子止部材を示す第二の実施例である。
【図７】従来例を示す図である。
【図８】従来例の使用図である。
【符号の説明】
【００３０】
１  被螺子止部材
１０１  螺子貫通部
１０２  塑性変形部
１０２ａ  螺子噛み合い部
１１０  第一の分岐線
１２０  第二の分岐線
１３０  第三の分岐線
２  螺子止部材
２０１  Ｌ１相母線
２０２  Ｌ２相母線
２０３  Ｎ相母線
３  螺子
３０１  螺子山
４  分岐開閉器
４０１  端子部
４０２  端子部
５  被螺子止部材
５０１  螺子貫通部
５ａ  当接部
５ｂ  塑性変形部
５ｃ  塑性変形部
【図１】
2005273836.tif 000003
【図２】
2005273836.tif 000004
【図３】
2005273836.tif 000005
【図４】
2005273836.tif 000006
【図５】
2005273836.tif 000007
【図６】
2005273836.tif 000008
【図７】
2005273836.tif 000009
【図８】
2005273836.tif 000010